(57)【要約】【課題】自動車に任意に取り付けられて当該自動車への搭乗員の乗降時の雨除けをより確実に図ることができる自動車用雨除け具を提供する。【解決手段】自動車に任意に取り付けられて当該自動車への搭乗員の乗降時の雨除けを図ることができる自動車用雨除け具であって、自動車における開状態のドアＤと車体の屋根部Ｒとの間に敷設可能とされ、防水性を有するシート状部材１と、該シート状部材１の縁部に固定され、磁気を生じて車体の屋根部Ｒに吸着可能な磁気発生手段２とを具備したものである。【選択図】図１
2010184591.tif 000002
【特許請求の範囲】
【請求項１】
自動車に任意に取り付けられて当該自動車への搭乗員の乗降時の雨除けを図ることができる自動車用雨除け具であって、
自動車における開状態のドアと車体の屋根部との間に敷設可能とされ、防水性を有するシート状部材と、
該シート状部材の縁部に固定され、磁気を生じて前記車体の屋根部に吸着可能な磁気発生手段と、
を具備したことを特徴とする自動車用雨除け具。
【請求項２】
前記磁気発生手段は、柔軟性を有する被覆部材で表面が覆われたことを特徴とする請求項１記載の自動車用雨除け具。
【請求項３】
前記磁気発生手段は、ゴムと磁性材料とを混ぜ合わせて成形して成ることにより柔軟性を有したものであることを特徴とする請求項１記載の自動車用雨除け具。
【請求項４】
前記シート状部材における前記磁気発生手段の固定位置と対辺側に吸盤が形成されたことを特徴とする請求項１〜３の何れか１つに記載の自動車用雨除け具。
【請求項５】
前記シート状部材は、所定形状に形成された金属製の柔軟なフレームに最外縁部が固定され、折り畳み可能とされたことを特徴とする請求項１〜４の何れか１つに記載の自動車用雨除け具。
【請求項６】
前記シート状部材における前記磁気発生手段が固定された側に目印が形成されたことを特徴とする請求項１〜５の何れか１つに記載の自動車用雨除け具。
【請求項７】
前記シート状部材が遮光処理を施して成るものとされ、日除け具を兼用し得るものであることを特徴とする請求項１〜６の何れか１つに記載の自動車用雨除け具。
【発明の詳細な説明】
【技術分野】
【０００１】
本発明は、自動車に任意に取り付けられて当該自動車への搭乗員の乗降時の雨除けを図ることができる自動車用雨除け具に関するものである。
【背景技術】
【０００２】
雨天においては、通常、運転者等の搭乗員が汎用の傘を片手に持ちつつドアを開状態とし、自動車への乗降が行われていた。然るに、乗降動作と傘の開閉動作とを同時に行わなければならないため、すばやい動作が必要であった。特に、乗車時は、体だけでなく濡れた傘を車内に入れるため、慌てて乗車すればする程、シートや衣服、車室内の思わぬ部分に傘が接触して濡れてしまうことがあり、不快な思いをすることとなる。尚、かかる先行技術は、文献公知発明に係るものでないため、記載すべき先行技術文献情報はない。
【発明の概要】
【発明が解決しようとする課題】
【０００３】
上記した不具合を解決すべく、本出願人は、自動車の乗降時、乗降動作と傘の開閉動作とを同時にすばやく行わなくても、通常の動作で、シートや体、車室内が濡れてしまうのを抑制することができる自動車用雨除け具を検討するに至った。
【０００４】
本発明は、このような事情に鑑みてなされたもので、自動車に任意に取り付けられて当該自動車への搭乗員の乗降時の雨除けをより確実に図ることができる自動車用雨除け具を提供することにある。
【課題を解決するための手段】
【０００５】
請求項１記載の発明は、自動車に任意に取り付けられて当該自動車への搭乗員の乗降時の雨除けを図ることができる自動車用雨除け具であって、自動車における開状態のドアと車体の屋根部との間に敷設可能とされ、防水加工が施されたシート状部材と、該シート状部材の縁部に固定され、磁気を生じて前記車体の屋根部に吸着可能な磁気発生手段とを具備したことを特徴とする。
【０００６】
請求項２記載の発明は、請求項１記載の自動車用雨除け具において、前記磁気発生手段は、柔軟性を有する被覆部材で表面が覆われたことを特徴とする。
【０００７】
請求項３記載の発明は、請求項１記載の自動車用雨除け具において、前記磁気発生手段は、ゴムと磁性材料とを混ぜ合わせて成形して成ることにより柔軟性を有したものであることを特徴とする。
【０００８】
請求項４記載の発明は、請求項１〜３の何れか１つに記載の自動車用雨除け具において、前記シート状部材における前記磁気発生手段の固定位置と対辺側に吸盤が形成されたことを特徴とする。
【０００９】
請求項５記載の発明は、請求項１〜４の何れか１つに記載の自動車用雨除け具において、前記シート状部材は、所定形状に形成された金属製の柔軟なフレームに最外縁部が固定され、折り畳み可能とされたことを特徴とする。
【００１０】
請求項６記載の発明は、請求項１〜５の何れか１つに記載の自動車用雨除け具において、前記シート状部材における前記磁気発生手段が固定された側に目印が形成されたことを特徴とする。
【００１１】
請求項７記載の発明は、請求項１〜６の何れか１つに記載の自動車用雨除け具において、前記シート状部材が遮光処理を施して成るものとされ、日除け具を兼用し得るものであることを特徴とする。
【発明の効果】
【００１２】
請求項１の発明によれば、磁気発生手段を車体の屋根部に吸着させることによりシート状部材を自動車における開状態のドアと車体の屋根部との間に敷設可能とされたので、当該シート状部材の脱着をより容易とすることができ、自動車に任意に取り付けられて当該自動車への搭乗員の乗降時の雨除けをより確実に図ることができる。
【００１３】
請求項２の発明によれば、磁気発生手段は、柔軟性を有する被覆部材で表面が覆われたので、磁気発生手段を車体の屋根部に吸着させる際、当該屋根部を傷つけてしまうのを抑制することができる。
【００１４】
請求項３の発明によれば、磁気発生手段は、ゴムと磁性材料とを混ぜ合わせて成形して成ることにより柔軟性を有したものであるので、磁気発生手段を車体の屋根部に吸着させる際、当該屋根部を傷つけてしまうのを抑制することができるとともに、シート状部材の柔軟性を略全体に亘って維持させることができる。
【００１５】
請求項４の発明によれば、シート状部材における磁気発生手段の固定位置と対辺側に吸盤が形成されたので、シート状部材を自動車における開状態のドアと車体の屋根部との間に敷設した状態で、車体の屋根部側を磁気発生手段にて固定させるとともに、ドア側を吸盤にて吸着固定させることができ、風等によりシート状部材が捲れてしまうのを回避することができる。
【００１６】
請求項５の発明によれば、シート状部材は、所定形状に形成された金属製の柔軟なフレームに最外縁部が固定され、折り畳み可能とされたので、持ち運びの際の携帯が容易とされるとともに、折り畳んで別個の収納袋等に収納させることもできる。
【００１７】
請求項６の発明によれば、シート状部材における磁気発生手段が固定された側に目印が形成されたので、当該目印がある部位を最適把持させることができ、自動車用雨除け具の車体への取付け作業をより容易且つ確実に行わせることができる。
【００１８】
請求項７の発明によれば、シート状部材が遮光処理を施して成るものとされ、日除け具を兼用し得るものであるので、雨除け具と日除け具とを別個用意する必要がない。
【図面の簡単な説明】
【００１９】
【図１】本発明の実施形態に係る自動車用雨除け具を示す平面図
【図２】同自動車用雨除け具を示す正面図
【図３】図１におけるＩＩＩ−ＩＩＩ線断面図
【図４】同自動車用雨除け具における磁気発生手段を示す断面模式図
【図５】同自動車用雨除け具を自動車に取り付けた状態を示す模式図
【図６】同自動車用雨除け具を自動車に取り付けた状態を示す拡大模式図
【図７】同自動車用雨除け具を折り畳んだ状態を示す模式図
【図８】同自動車用雨除け具を折り畳んだ状態であって目印の形成位置を示す模式図
【図９】本発明の他の実施形態（シート状部材の形状が異なるもの）に係る自動車用雨除け具を示す平面図
【図１０】同他の実施形態に係る自動車用雨除け具を示す正面図
【図１１】本発明の他の実施形態（磁気発生手段が柔軟性を有したもの）に係る自動車用雨除け具を示す平面図
【図１２】同他の実施形態に係る自動車用雨除け具における磁気発生手段を示す断面模式図
【図１３】本発明の他の実施形態（磁気発生手段が柔軟性を有したもの）に係る自動車用雨除け具を示す平面図
【図１４】同他の実施形態に係る自動車用雨除け具における磁気発生手段を示す断面模式図
【図１５】本発明の他の実施形態（磁気発生手段をシート状部材の全周縁に亘って形成したもの）に係る自動車用雨除け具を示す平面図
【図１６】本発明の他の実施形態（吸盤が形成されたゴムバンドの両端がシート状部材の隣り合う２辺にそれぞれ固定され、当該吸盤の位置が可変とされたもの）に係る自動車用雨除け具を示す平面図
【図１７】同他の実施形態に係る自動車用雨除け具を示す正面図
【図１８】同他の自動車用雨除け具を自動車に取り付けた状態を示す模式図
【発明を実施するための形態】
【００２０】
以下、本発明の実施形態について図面を参照しながら具体的に説明する。
本実施形態に係る自動車用雨除け具は、自動車に任意に取り付けられて当該自動車への搭乗員の乗降時の雨除けを図ることができるものであり、図１〜４に示すように、可撓性を有したシート状部材１と、磁石から成る磁気発生手段２と、金属製のフレーム３（樹脂製等他の材質のものであってもよい）とを主に具備している。
【００２１】
シート状部材１は、図５、６に示すように、自動車における開状態のドアＤと車体の屋根部Ｒ（閉状態のドアＤ近傍における屋根部Ｒ）との間に敷設可能とされたもので、防水性を有したものである。然るに、シート状部材１は、自動車の開状態のドアＤと屋根部Ｒとの間で広げられ得る大きさ及び形状とされている。尚、シート状部材１は、防水性を有していれば足り、当該シート状部材１の素材が防水機能を有したもの、或いは防水加工を施したものの何れであってもよい。防水加工を施すものとした場合、例えば防水塗料の塗布が挙げられる。
【００２２】
磁気発生手段２は、シート状部材１の縁部（図１、２中右側縁部）に固定され、磁気を生じて車体の屋根部Ｒに吸着可能とされたものであり、本実施形態においては４つ固定されている。それぞれの磁気発生手段２は、図３に示すように、シート状部材１の表面に縫い付けられた覆い部１ｄ内に収容されて固定されている。尚、覆い部１ｄとシート状部材１との接着は、本実施形態の如く縫合に限定されるものではなく、例えば熱溶着等による接着であってもよい。また、覆い部１ｄは、シート状部材１の表面又は裏面の何れに固定されるものであってもよい。更に、本実施形態における磁気発生手段２は、柔軟性を有する被覆部材２ｂ（ゴムコーティング等）で表面が覆われた磁石２ａとされている。従って、磁気発生手段２を車体の屋根部Ｒに吸着させる際、当該屋根部Ｒを傷つけてしまうのを抑制することができる。
【００２３】
一方、シート状部材１には、ゴムバンド１ａ、１ｂがそれぞれ取り付けられており、そのうちゴムバンド１ｂの先端には吸盤４が形成されている。かかる吸盤４は、シート状部材１における磁気発生手段２の固定位置と対辺側（図１、２中左縁部）に形成されており、図５、６に示すように、シート状部材１が自動車に取り付けられた際、ドアＤの窓ガラスの外側面（又は内側面）に吸着可能とされている。
【００２４】
これにより、シート状部材１を自動車における開状態のドアＤと車体の屋根部Ｒとの間に敷設した状態で、車体の屋根部Ｒ側を磁気発生手段２にて固定させるとともに、ドアＤ側を吸盤４にて吸着固定させることができ、風等によりシート状部材１が捲れてしまうのを回避することができる。また、吸盤４は、ゴムバンド１ｂを介してシート状部材１に取り付けられているので、当該吸盤４による吸着位置を所望位置まで伸ばすことができる。
【００２５】
更に、シート状部材１は、所定形状に形成された金属製又は樹脂製の柔軟なフレーム３に最外縁部が固定され、図７、８に示すように、折り畳み可能とされている。かかるフレーム３は、図３に示すように、シート状部材１の縁端を覆うバイアステープ１ｃ内に取り付けられた板状のものから成り、当該シート状部材１を広げた際の外輪郭を成すものとされている。これにより、持ち運びの際の携帯が容易とされるとともに、折り畳んで別個の収納袋等に収納させることもできる。尚、折り畳んだ状態をゴムバンド１ａで保持させることができるよう構成されている。
【００２６】
尚、図８に示すように、シート状部材１を折り畳んだ際、当該シート状部材１における磁気発生手段２が固定された側に目印５が形成されている。かかる目印５は、例えば所定の色でペイントされたペイント部、粘着テープ等を粘着させた部位等、目視にて判別できるものであれば、何れのものであってもよい。これにより、目印５がある部位を把持させることができ、乗車時の最適グリップ位置を明示して、片手で自動車用雨除け具の車体への取付け作業をより容易且つ確実に行わせることができる。即ち、折り畳んだ状態では、磁気発生手段２の形成部位（形成部位の中央近傍）を目視することができないため、これを明示して把持させることにより、目印５部を把持した片手を車外へ出して折り畳んだ状態から広げた状態とすれば、確実に磁気発生手段２を屋根部Ｒに取り付けることができるのである。
【００２７】
また更に、本実施形態においては、シート状部材１が防水処理に加えて遮光処理を施して成るものとされ、日除け具を兼用し得るものとされている。かかる遮光処理として、例えば遮光塗料の塗布や暗色塗料の塗布等が挙げられる。尚、日除け具として使用する際には、フロントガラスの内側に固定させて使用するのが好ましい。これにより、雨除け具と日除け具とを別個用意する必要がない。
【００２８】
上記実施形態によれば、磁気発生手段２を車体の屋根部Ｒに吸着させることによりシート状部材１を自動車における開状態のドアＤと車体の屋根部Ｒとの間に敷設可能とされたので、当該シート状部材１の脱着をより容易とすることができ、自動車に任意に取り付けられて当該自動車への搭乗員の乗降時の雨除けをより確実に図ることができる。尚、吸盤４を具備しなくてもよく、その場合、ドアＤ側は当該ドアＤの上縁部に載置させるものとするのが好ましい。
【００２９】
シート状部材１の全体形状（平面形状）は、自動車における開状態のドアＤと車体の屋根部Ｒとの間に敷設可能であれば何れのものであってもよく、例えば図９に示すように、略矩形状のものであってもよい。尚、磁気発生手段２は、４個に限定されるものではなく、単数、２〜３個、５個以上であってもよく、その形状は何れのものであってもよい。また、磁気発生手段２として、柔軟性を有した所謂ラバーマグネットを用いるようにしてもよい。
【００３０】
例えば、図１１〜図１４に示すように、ゴムと磁性材料とを混ぜ合わせて成形して成ることにより柔軟性を有したラバーマグネット２’を用いた場合、磁気発生手段２を車体の屋根部Ｒに吸着させる際、当該屋根部Ｒを傷つけてしまうのを抑制することができるとともに、シート状部材１の柔軟性を略全体に亘って維持させることができる。尚、図１１、１２は、ラバーマグネット２’を２つ形成した平面図及びそのラバーマグネット２’の断面図を示しており、図１３、１４は、ラバーマグネット２’を１つ形成した平面図及びそのラバーマグネット２’の断面図を示している。
【００３１】
以上、本実施形態に係る自動車用雨除け具について説明したが、本発明はこれに限定されるものではなく、例えば図１５に示すように、磁気発生手段２をシート状部材１の全周縁に亘って形成するようにしてもよい。また、シート状部材１の大きさ及び形状、更には材質等については防水機能が保持されれば何れのものであってもよく、表面に文字や柄等を表示するようにしてもよい。
【００３２】
また更に、例えば図１６、１７に示すように、吸盤４が形成されたゴムバンド１ｂ’の両端がシート状部材１の隣り合う２辺にそれぞれ固定され、当該吸盤４が当該ゴムバンド１ｂ’に沿って移動してその位置が可変とされたものとしてもよい。かかる自動車用雨除け具によれば、図１８に示すように、自動車に取り付けた際、シート状部材１の２辺から延びるゴムバンド１ｂ’に吸盤４が形成されているので、安定してドアＤの窓ガラスに吸着させることができ、風が吹いてシート状部材１が捲れてしまうのをより確実に防止することができる。また、吸盤４が移動して吸着位置が可変とされているので、種々形態の自動車に適用させることができる。
【産業上の利用可能性】
【００３３】
自動車における開状態のドアと車体の屋根部との間に敷設可能とされ、防水加工が施されたシート状部材と、該シート状部材の縁部に固定され、磁気を生じて車体の屋根部に吸着可能な磁気発生手段とを具備した自動車用雨除け具であれば、外観形状が異なるもの或いは他の機能が付加されたもの等にも適用することができる。
【符号の説明】
【００３４】
１  シート状部材
２  磁気発生手段
３  フレーム
４  吸盤
５  目印
Ｄ  ドア
Ｒ  屋根部
【図１】
2010184591.tif 000003
【図２】
2010184591.tif 000004
【図３】
2010184591.tif 000005
【図４】
2010184591.tif 000006
【図５】
2010184591.tif 000007
【図６】
2010184591.tif 000008
【図７】
2010184591.tif 000009
【図８】
2010184591.tif 000010
【図９】
2010184591.tif 000011
【図１０】
2010184591.tif 000012
【図１１】
2010184591.tif 000013
【図１２】
2010184591.tif 000014
【図１３】
2010184591.tif 000015
【図１４】
2010184591.tif 000016
【図１５】
2010184591.tif 000017
【図１６】
2010184591.tif 000018
【図１７】
2010184591.tif 000019
【図１８】
2010184591.tif 000020